(57)【要約】【課題】低コストで、ピッキングによる不正開錠を阻止する能力を増大するとともに、無理なテンションによる破錠を阻止することができるピンシリンダー錠の構造を提供すること。【解決手段】錠本体の中に回転自在に設けた大径シリンダーと該大径シリンダー中に回転自在にはめ込まれて設けた小径シリンダー、両者を貫通する複数のピン穴、該ピン穴に順次はめ込む複数のピンからなるシリンダーの回転機構と、シリンダーの回転運動を往復運動に変更する機構、該往復運動によって係合又は係合解除される機構からなり、ピンの境目を両シリンダーの境目に一致させることによってシリンダーの回転運動を往復運動に変更する機構を作動させて開、閉状態を変更し、ピンの境目を大径シリンダーと錠本体との境目に一致させることによってシリンダーの回転運動を往復運動に変更する機構を非作動として開状態、閉状態を維持させるピンシリンダー錠の構造。【選択図】図１
2005290681.tif 000002
【特許請求の範囲】
【請求項１】
錠本体の中に回転自在に設けた大径シリンダーと該大径シリンダー中に回転自在にはめ込まれて設けた小径シリンダー、大径シリンダーと小径シリンダーを貫通する複数のピン穴、該ピン穴に順次はめ込む第一ピン、第二ピンからなる二種のピン、及びピンバネ、とからなるシリンダーの回転機構と、シリンダーの回転運動を往復運動に変更する機構と、該往復運動によって係合又は係合解除される機構とからなり、第一ピンと第二ピンの境目を大径シリンダーと小内シリンダーとの境目に一致させることによってシリンダーの回転運動を往復運動に変更する機構を作動させて開、閉状態を変更し、第二ピンと第三ピンの境目を大径シリンダーと錠本体との境目に一致させることとによってシリンダーの回転運動を往復運動に変更する機構を非作動として開状態、閉状態を維持させることを特徴とするピンシリンダー錠の構造。
【請求項２】
錠本体の中に回転自在に設けた大径シリンダーと該大径シリンダー中に回転自在にはめ込まれて設けた小径シリンダー、大径シリンダーと小径シリンダーを貫通する複数のピン穴、該ピン穴に順次はめ込む第一ピン、第二ピン、第三ピンからなる三種のピン、及びピンバネ、とからなるシリンダーの回転機構と、シリンダーの回転運動を往復運動に変更する機構と、該往復運動によって係合又は係合解除される機構とからなり、第一ピンと第二ピンの境目を大径シリンダーと小内シリンダーとの境目に一致させることによってシリンダーの回転運動を往復運動に変更する機構を作動させて開、閉状態を変更し、第二ピンとピンバネの境目を大径シリンダーと錠本体との境目に一致させることとによってシリンダーの回転運動を往復運動に変更する機構を非作動として開状態、閉状態を維持させることを特徴とするピンシリンダー錠の構造。
【請求項３】
複数のピン穴の内の一つのピン穴を一つの系として、ある系におけるピンの径を部分的に細くし、他の系のピンは細くせず、この二系列のピンを複数設けたことを特徴とする請求項１又は２記載のピンシリンダー錠の構造。  
【請求項４】
シリンダーを破壊する強さのトルクがかかった場合に第一ピンよりも先に第二ピンが破断するように第一ピンと第二ピンに強度差を設けたことを特徴とする請求項１ないし３のいずれかに記載のピンシリンダー錠の構造。
【発明の詳細な説明】
【技術分野】
【０００１】
本発明は、ピッキング、破錠に強いピンシリンダー錠の構造に関する。
【背景技術】
【０００２】
ピッキングとは、特殊な針金状の金属棒を鍵穴に差し込んで不正に開錠する手口である。図６に、従来のピンシリンダー錠構造におけるピッキングの手口を部分断面図で示している。図６に示すように、従来のピンシリンダー錠は、シリンダー２を一つだけ錠本体１１内に挿入して設けたものが一般的である。このようなピンシリンダー錠では、特殊なＬ型の工具１３の先端をシリンダー内面に当てて回転モーメントをかけると第一ピン６、第二ピン７がシリンダー２や錠本体１１に引っかかり、その手応えを頼りにピック１４等を用いてピン６、７等を上下させることによって開錠時のピン等の位置を割り出して不正開錠することが比較的簡単であった。しかも、シリンダー２に無理なテンションを加えてピン６、７等を破壊して強引にこじ開ける、破錠というようなことも可能であった。このようなピッキングや破錠を防止するための各種の錠構造が開発されている（特許文献１〜４）
【０００３】
【特許文献１】特開2000-320204号公報
【特許文献２】特開2001-140512号公報
【特許文献３】特開2003-148011号公報
【特許文献４】特開2003-239582号公報
【発明の開示】
【発明が解決しようとする課題】
【０００４】
従来のピンシリンダー錠において、ピッキング対策をすることも可能ではあるが、そのためには高度な技術と加工の精度が求められ、コストが非常に高くなると言う難点もあった。本発明は、特別な技術を使わずに、低コストで、ピッキングによる不正開錠を阻止する能力を増大するとともに、無理なテンションによる破錠を阻止することができるピンシリンダー錠の構造を提供することを課題とする。
【課題を解決するための手段】
【０００５】
本発明は、シリンダーを大径シリンダーと小径シリンダーの組み合わせとするとともにシリンダーの回転運動を往復運動に変換して、施錠、開錠できる機構とすることによって上記の課題を解決した。
【０００６】
すなわち、本発明は、（１）錠本体の中に回転自在に設けた大径シリンダーと該大径シリンダー中に回転自在にはめ込まれて設けた小径シリンダー、大径シリンダーと小径シリンダーを貫通する複数のピン穴、該ピン穴に順次はめ込む第一ピン、第二ピンからなる二種のピン、及びピンバネ、とからなるシリンダーの回転機構と、シリンダーの回転運動を往復運動に変更する機構と、該往復運動によって係合又は係合解除される機構とからなり、第一ピンと第二ピンの境目を大径シリンダーと小内シリンダーとの境目に一致させることによってシリンダーの回転運動を往復運動に変更する機構を作動させて開、閉状態を変更し、第二ピンと第三ピンの境目を大径シリンダーと錠本体との境目に一致させることとによってシリンダーの回転運動を往復運動に変更する機構を非作動として開状態、閉状態を維持させることを特徴とするピンシリンダー錠の構造、である。
【０００７】
また、本発明は、（２）錠本体の中に回転自在に設けた大径シリンダーと該大径シリンダー中に回転自在にはめ込まれて設けた小径シリンダー、大径シリンダーと小径シリンダ
ーを貫通する複数のピン穴、該ピン穴に順次はめ込む第一ピン、第二ピン、第三ピンからなる三種のピン、及びピンバネ、とからなるシリンダーの回転機構と、シリンダーの回転運動を往復運動に変更する機構と、該往復運動によって係合又は係合解除される機構とからなり、第一ピンと第二ピンの境目を大径シリンダーと小内シリンダーとの境目に一致させることによってシリンダーの回転運動を往復運動に変更する機構を作動させて開、閉状態を変更し、第二ピンとピンバネの境目を大径シリンダーと錠本体との境目に一致させることとによってシリンダーの回転運動を往復運動に変更する機構を非作動として開状態、閉状態を維持させることを特徴とするピンシリンダー錠の構造、である。
【０００８】
本発明は、シリンダーを大径シリンダーに小径シリンダーを同軸にはめ込んだ構造とし、鍵を挿入しない状態において大径シリンダーと小径シリンダーが第二ピンによって一体となって錠本体と相互に空転することによって、不正開錠におけるテンションをかけられないようにした。また、この錠では、小径シリンダーは鍵を使用する、しないにかかわらず回転運動をすることが出来る。したがって、回転を開錠のための運動とすることが出来ず、小径シリンダーの回転運動を往復運動に変換して開錠、施錠する機構とした。
【０００９】
また、本発明は、（３）複数のピン穴の内の一つのピン穴を一つの系として、ある系におけるピンの径を部分的に細くし、他の系のピンは細くせず、この二系列のピンを複数設けたことを特徴とする上記（１）又は（２）のピンシリンダー錠の構造、である。このように、ピンに細い物と太い物の両方を使うことによってピッキングにおいて太いピンを押し込んだときは細いピンが引っかからないようにし、細いピンを押し込んだときには太いピンが押し込めないようにした。
【００１０】
また、本発明は、（４）シリンダーを破壊する強さのトルクがかかった場合に第一ピンよりも先に第二ピンが破断するように第一ピンと第二ピンに強度差を設けたことを特徴とする上記（１）ないし（３）のいずれかのピンシリンダー錠の構造、である。このように、第二ピンの強度を第一ピンの強度よりも弱くすることによって、大径シリンダーと錠本体との境目に来るピンを、同時に小径シリンダーと大径シリンダーの境目に来るピンよりも、シリンダーに加えられる回転モーメントに対して破断しやすくし、無理なテンションがかかっても強度の小さい方のピンが先に破壊することによって大径シリンダーが空転してしまうようにして破錠に対抗するようにした。
【発明の効果】
【００１１】
本発明のピンシリンダー錠は、特別な技術を使わずに比較的簡単な構造によって、ピッキングの手口に対抗して、これまでにないほどの安全性を得ることができ、強大なテンションによる破錠の対策もできる。
【発明を実施するための最良の形態】
【００１２】
以下に、本発明を南京錠に応用した例に基づいて説明するが、本発明のピンシリンダー錠の構造はドアの錠や金庫の錠など現存する錠に幅広く応用が可能である。
【００１３】
図１に、本発明の錠構造の分解組み立て図を示す。本発明のピンシリンダー錠では、大径シリンダーと小径シリンダーの２個を用いる。小径シリンダーの外径は大径シリンダーの内側に同軸にはめ込んで回転できる程度のクリアランスができる大きさとする。図１において、小径シリンダー２は円筒形状をしており、後方（図で右側、以下同じ）側がカムとなってかんぬき４を通じて回転運動を前後運動に変換するためにやや斜めにカットされて斜面２１を形成している。大径シリンダー３及び小径シリンダー２にはその中心軸と直交する方向に大径シリンダー３と小径シリンダー２を貫通する複数のピン穴を設ける。図１に示す態様では、上下対称に中心線に対して垂直に２個ずつのピン孔を形成しているが、ピン穴の数や配置は錠の各種の形態に応じて適宜決めることができる。
【００１４】
大径シリンダー３も円筒形状をしており、その中間部に円板状の仕切り板３１を設ける。仕切り板３１の円周部分の一箇所には小さな貫通孔３１１を設ける。仕切り板３１の位置は、大径シリンダー３に小径シリンダー２をはめ込んでその斜面２１の最先端が仕切り板３１に接触したときに大径シリンダー３と小径シリンダー２のピン穴の位置が合致するような位置である。以上によってシリンダーの回転機構が構成される。
【００１５】
仕切り板３１の前方（図で左側、以下同じ）に小径シリンダー２がはめ込まれる。仕切り板３１の後方には閂と呼ばれるクランク状の部品４を収容する。クランク状の部品４はその軸が大径シリンダー３と小径シリンダー２の中心軸に一致しており、クランク状の部品４の前方側先端部は仕切り板３１の貫通孔３１１に挿入される。クランク状の部品４の後方側先端部は後ろ蓋５の中心孔に挿入して後方へ突出させる。
【００１６】
大径シリンダー３の後方部に後ろ蓋５を取り付け、錠本体１１の空洞部に挿入した後、錠本体１１に前蓋を取り付けて小径シリンダー２が飛び出さないよう拘束する。そして、第一ピン６、第二ピン７の二種、又は第三ピン８を加えた三種のピンを、その順序でピン孔に挿入し、ピンバネ９を挿入しピン蓋１０で締着する。第三ピン８を用いない場合は、第一ピン６、第二ピン７の二種をピン孔に挿入し、ピンバネ９を挿入する。これらの二種又は三種のピンの境目がどの位置に揃うかによって閉状態と開状態が区別される。
【００１７】
ピンの長さは、第一のピンは、鍵穴にキーを差し込んで第一ピンを押し込んだときにその上端が小径シリンダーの外周面の位置に一致する長さであり、第二ピンは、閉状態のときにその上端が大径シリンダーの外周面の位置に一致する長さである。第三ピン８は大径シリンダーが空転を起こした場合にピンバネ９が回転面に巻き込まれるのを防ぐと共に、第二ピン７を押さえる働きをする。ピンバネ９が直に第二ピン７を押さえると少しでもくぼみがあった場合に巻き込まれたり、ピンの径を細くしたときにはまってしまったりするおそれがある。
【００１８】
図２に、本発明の錠構造の「閉状態」を模式的に部分斜視図で示している。閉状態において、小径シリンダー２には第一ピン６が入り込んでおり第二ピン７もはまっている。第一ピンの下端は鍵穴に突出している。第二ピン７は同時に大径シリンダー３のピン穴に入り込んでおり、小径シリンダー２と大径シリンダー３は第二ピン７によって互いに拘束されて一体となっている。第二ピン７の上端は大径シリンダー３の外周面の位置に一致しており、錠本体１１の内側に大径シリンダー３を挿入するために開けた空洞内表面と大径シリンダー３の外周面との境目に第二ピン７の上端と第三ピン８（第三ピンを用いない場合はピンバネ９）の下端の境目がある状態となっている。この状態において、鍵穴Ｈをいくら回しても小径シリンダー２、大径シリンダー３は一体となって回転し、錠本体１１に対して空転するので錠は開かない。
【００１９】
次に、図３に、本発明の錠構造の「開状態」を模式的に部分斜視図で示す。鍵穴にキーを差し込んで開状態にする場合は、第一ピンがキーによって押し込められて小径シリンダー２と大径シリンダー３の境目に第一ピン６の上端と第二ピン７の下端の境目がくるようにする。これによって、小径シリンダー２と大径シリンダー３は互いに拘束を解かれるが、同時に第二ピン７の上端は大径シリンダー３の外周面から飛び出し、錠本体１１に食い込む。このことで、錠本体１１と大径シリンダー３は互いに拘束されて一体となり、小径シリンダー２はそれらと相対的に回転する。このことによって錠は開く。
【００２０】
では、小径シリンダー２が錠本体１１や大径シリンダー３と相対的に回転することによって、なぜ錠が開くのかと言うことについて説明する。このためには、シリンダーの回転運動を往復運動に変更する機構を設ける。さらに、往復運動によって係合又は係合解除さ
れる機構を設ける。そして、第一ピンと第二ピンの境目を大径シリンダーと小内シリンダーとの境目に一致させることによってシリンダーの回転運動を往復運動に変更する機構を作動させて開状態とし、第二ピンと第三ピン（第三ピンを用いない場合はピンバネ９）の境目を大径シリンダーと錠本体との境目に一致させることとによってシリンダーの回転運動を往復運動に変更する機構を非作動として閉状態とする。
【００２１】
図４は、本発明の錠構造をかんぬき錠に適用した場合の開状態を示している。また、図１は、このかんぬき錠の閉状態を示している。大径シリンダー３の前部に小径シリンダー２がはめ込まれおり、その後部にはクランク状の部品４が入っている。このクランク状の部品４をかんぬきと呼ぶことにする。かんぬきの前部側突起４１は大径シリンダー３の中央部にある仕切り板３１に開いた貫通穴３１１から小径シリンダー２の方に突出しており、小径シリンダー２の後部斜面２１と接触する。
【００２２】
かんぬき４はバネの力によって常に前方（図で言う左方向）に押さえられている、一方、小径シリンダー２の後部端面はやや斜めにカットされた斜面２１となっており、小径シリンダー２と大径シリンダー３が相対的に回転する場合には、前記斜面２１と接触するかんぬきの前部側突起４１は斜面２１の回転に応じて動くので、かんぬきが図４で左右方向に移動する。これによって、かんぬきが図４で左方に移動すると南京錠の場合はＵ字に曲げられた棒１２の下部のへこみ１３にはまっていたかんぬきの軸端部が抜かれ、開錠となる。図４は、この開錠状態を示している。また、かんぬきが図４で右方に移動すると、へこみ１３にかんぬきの軸端部がはめ込まれることによって施錠が出来るようになる。
【００２３】
この錠は、鍵を差し込んでいない状態では大径シリンダー３と小径シリンダー２が互いに拘束されて空回りをするのでテンションをかけようとしてもかからない。したがって、強大なテンションをかけたとしても破錠しないが、ピンを押し込まれた状態で強大なテンションをかけられると第一ピン６が破壊し、錠が開いてしまうおそれがある。このことは第二ピン７を第一ピン６よりも先に故意に破断するように作っておくことで対処できる。
【００２４】
こうすることによって、たとえ、ピンを押し込まれた状態で強大なテンションをかけられたとしても、錠本体１１と大径シリンダー３の境界にある第二ピン７が先に破断して小径シリンダー２及び大径シリンダー３は空回りの状態となり錠は開かない。これによって強大なテンションによる破錠に対する対策となる。
【００２５】
さらに、この錠をよりいっそうピッキングに対して強くするために、ピンについて下記のようにすることが望ましい。第一に、複数のピン穴の内の一つのピン穴を一つの系として、ある系におけるピンの径を部分的に細くし、他の系のピンは細くせず、この二系列のピンを複数設けることによって、ピッキング工具によって細い径のピンを押し込んだときはシリンダーが回転し、太い径のピンが入らなくなり、太い径のピンを押し込んだときには、シリンダーが回転せず、細いピンが引っかからないようにすることである。
【００２６】
第二に、ピッキング工具によってピンが押し込まれたときに、回転して錠を開状態となす小径シリンダーと、そうではない大径シリンダーとの境目に来るピンを強い素材で作り、回転しても鍵を開状態や閉状態にしないシリンダー同士やそのようなシリンダーと錠本体との間に来るピンを弱い素材で作ることによって、強度差を設けて、ピンを押し込まれ、強大なトルクをシリンダーにかけられ回転モーメントが加わったとしても、シリンダーを固定するピンが最初にせん断し鍵が開くことはないようにすることである。
【００２７】
図５に、本発明の錠構造におけるピンの実施形態の一例を示している。図５は、一見すると、図１から図４までと何ら変わりはないように思われるが、ピンに細くなっているところとそのままの所を設けた点が相違する。
【００２８】
こうすることによって、ピンを押し込んだとしても、いっぺんに全てのピンをピッキングすることが不可能になる。なぜなら、例えば、図５で左下の太いピン（符号6’、7’、8’）を図６に示すように特殊なピックと呼ばれる工具１４で押し込んだときには、Ｌ型の工具１４によって開錠方向にトルクをかけても小径シリンダー２及び大径シリンダー３は、回転せずに部分的に細くなっているピン（符号6、7、8）は小径シリンダー２及び大径シリンダー３や錠本体１１のピン穴内部表面や各部品間の境目に接触できないため引っかからない。引っかからないと手応えを探ることが出来ないし、ピンを押してもピンバネ９によって戻されるので、この方法ではピッキングできない。
【００２９】
次に、細いピン（符号6、7、8）をピック１４で押し込んだ場合は、今度は、ピンの細い部分が引っかかっているため大径シリンダー３は回転しており、大径シリンダー３と錠本体１１との間の穴の位置がずれている。すると、太いピン２（符号7’）は穴がずれているため穴に入ることが出来ない。よって、ピッキングは不可能である。
【産業上の利用可能性】
【００３０】
本発明におけるピンシリンダー錠は、玄関ドアや、車の錠といった、日常よく使用される一般的な錠に使うことも可能であり、その特殊な構造から金庫の錠等の防犯上特に安全性が求められる錠としても十分のその要求を満たすことができる。
【図面の簡単な説明】
【００３１】
【図１】本発明の錠構造の分解組み立て図である。
【図２】本発明の錠構造の閉状態を模式的に示す部分斜視図である。
【図３】本発明の錠構造の開状態を模式的に示す部分斜視図である。
【図４】本発明の錠構造をかんぬき錠に適用した場合の開状態を示す断面図である。
【図５】本発明の錠構造におけるピンの実施形態の一例を示す断面図である。
【図６】従来の錠構造におけるピッキングの手口を示す部分断面図である。
【符号の説明】
【００３２】
１・・・前蓋
２・・・小径シリンダー
３・・・大径シリンダー
４・・・かんぬき
５・・・後ろ蓋
６・・・第一ピン
７・・・第二ピン
８・・・第三ピン
９・・・ピンバネ
１０・・・ピン蓋
１１・・・錠本体
１２・・・つる
１３・・・Ｌ型工具
１４・・・ピック
２１・・・斜面
３１・・・仕切り板 
Ｈ・・・鍵穴
【図１】
2005290681.tif 000003
【図２】
2005290681.tif 000004
【図３】
2005290681.tif 000005
【図４】
2005290681.tif 000006
【図５】
2005290681.tif 000007
【図６】
2005290681.tif 000008